(57)【要約】【課題】ローカルディミングの技術において、画像がスクロールしたことに伴う画面のちらつきを抑えつつ、コントラストを向上する性能が低下しない技術を提供する。【解決手段】表示装置（１）は、バックライト（３）を制御するバックライト制御部（１０）を備え、上記バックライト制御部は、映像データに含まれる動きベクトルを参照して、上記バックライトを制御する。【選択図】図１
2018128578.tif 000002
【特許請求の範囲】
【請求項１】
複数のエリアから構成され、当該複数のエリアの明るさを個別に制御可能なバックライトと、
上記バックライトを制御するバックライト制御部と
を備え、
上記バックライト制御部は、映像データに含まれる動きベクトルを参照して、上記バックライトを制御する
ことを特徴とする表示装置。
【請求項２】
上記バックライト制御部は、上記複数のエリアのうちの隣接するエリアの明るさの差を小さくするように、上記バックライトを制御する
ことを特徴とする請求項１に記載の表示装置。
【請求項３】
上記バックライト制御部は、上記映像データに含まれる複数の動きベクトルの大きさの分布を参照して、上記バックライトを制御する
ことを特徴とする請求項１又は２に記載の表示装置。
【請求項４】
上記バックライト制御部は、上記映像データ中の対象画像に含まれる動きベクトルを参照して、当該対象画像を表示する際の上記バックライトを制御する
ことを特徴とする請求項１〜３の何れか１項に記載の表示装置。
【請求項５】
上記バックライト制御部は、上記映像データ中の対象画像に含まれる最大輝度領域における動きベクトルを参照して、当該対象画像を表示する際の上記バックライトを制御する
ことを特徴とする請求項４に記載の表示装置。
【請求項６】
上記バックライト制御部は、上記映像データ中の対象画像に含まれる動きベクトルと、当該対象画像に対して時間的に前又は後に位置する参照画像に含まれる動きベクトルとを参照して、当該対象画像を表示する際の上記バックライトを制御する
ことを特徴とする請求項４に記載の表示装置。
【請求項７】
上記バックライト制御部は、上記映像データに含まれる動きベクトルの向きを参照して、上記バックライトを制御する
ことを特徴とする請求項１から６の何れか１項に記載の表示装置。
【請求項８】
上記バックライト制御部は、上記映像データ中の対象画像の最大輝度領域に対応する上記バックライトのエリアである対象エリアを、他のエリアよりも明るく発光させると共に、上記映像データに含まれる複数の動きベクトルの大きさの分布に応じて、当該対象エリアに隣接するエリアを、上記対象エリアよりも暗くかつ他のエリアよりも明るく発光させる
ことを特徴とする請求項１から７の何れか１項に記載の表示装置。
【請求項９】
上記バックライト制御部は、上記映像データ中の対象画像の最大輝度領域に対応する上記バックライトのエリアである対象エリアを、他のエリアよりも明るく発光させると共に、上記映像データに含まれる複数の動きベクトルの大きさの分布において、所定の大きさ以上の動きベクトルの割合が所定の割合以上である場合に、当該対象エリアに隣接するエリアを、上記対象エリアよりも暗くかつ他のエリアよりも明るく発光させる
ことを特徴とする請求項８に記載の表示装置。
【請求項１０】
請求項１〜９の何れか１項に記載の表示装置を備えている、
ことを特徴とするテレビジョン受像機。
【請求項１１】
複数のエリアから構成され、当該複数のエリアの明るさを個別に制御可能なバックライトを備えている表示装置によるバックライト制御方法であって、
上記バックライトを制御するバックライト制御工程を含み、
上記バックライト制御工程では、映像データに含まれる動きベクトルを参照して、上記バックライトを制御する
ことを特徴とするバックライト制御方法。
【請求項１２】
請求項１に記載の表示装置としてコンピュータを機能させるためのバックライト制御プログラムであって、上記バックライト制御部としてコンピュータを機能させるためのバックライト制御プログラム。
【請求項１３】
請求項１２に記載のバックライト制御プログラムを記録したコンピュータ読み取り可能な記録媒体。
【発明の詳細な説明】
【技術分野】
【０００１】
本発明は、主に、複数のエリアの明るさを個別に制御可能なバックライトを備えている表示装置に関する。
【背景技術】
【０００２】
近年、映像コンテンツの表示品位を向上させる技術として、コントラストを向上させるためにコンテンツ自体に輝度情報を格納するという手法が提案されている。当該手法は、バックライトの輝度と、液晶ディスプレイ（ＬＣＤ）に対する映像データ（ＬＣＤデータ）とを調整することにより、コントラストの向上を計るものである。このような技術は、ローカルディミングと呼ばれる。
【０００３】
ローカルディミングとは、液晶パネルを複数のエリア（調光エリア）に分割して、分割された各エリア別に、画像データの輝度成分に基づいて、バックライトの光量を調整する処理を意味する。図１０の（ａ）にローカルディミングの例を示す。図１０の（ａ）の上段は、ＬＣＤの表示例を示し、図１０の（ａ）の下段は、当該ＬＣＤの表示に対応するバックライトの輝度を示している。図１０の（ａ）が示すように、ローカルディミングを行う液晶表示装置では、明るい画像を表示させるＬＣＤのエリアに対応するバックライトの光量を多く、暗い画像を表示させるＬＣＤのエリアに対応するバックライトの光量を少なくする。これにより、明るい画像領域をより明るく、暗い画像領域をより暗くできるため、コントラスト比の高い画像を表示できる。
【０００４】
上記のローカルディミングの技術において、バックライトの各調光エリアは、占める面積が狭いほど、ＬＣＤデータとのマッチングが高い。しかし、各調光エリアが占める面積が大きい場合、対応するＬＣＤデータとのバランスが取りづらくなるという問題がある。
【０００５】
上記の問題を、図１０の（ｂ）を参照して説明する。図１０の（ｂ）は、ＬＣＤに表示された画像Ｐと、（１）〜（７）の調光エリアを含むバックライトＬ（エッジ型）とを示している。図１０の（ｂ）の左側は、画像Ｐがスクロールする前の画像Ｐ及びバックライトＬを示し、図１０の（ｂ）の右側は、画像Ｐがスクロールした後の画像Ｐ及びバックライトＬを示している。
【０００６】
図１０の（ｂ）が示すように、画像Ｐが、バックライトＬの（４）及び（５）の調光エリアに対応するＬＣＤのエリアから、バックライトＬの（５）及び（６）の調光エリアに対応するＬＣＤのエリアにスクロールすると、ローカルディミングにより、バックライトＬは、光量を高くするエリアを、（４）及び（５）の調光エリアから、（５）及び（６）の調光エリアに変更する。ここで、バックライトＬの（６）の調光エリアの光量が高くなり、（４）の調光エリアの光量が小さくなることにより、ユーザには、バックライトＬからの光がちらついて見えるという問題がある。
【０００７】
上記の問題の対策を、図１０の（ｃ）を参照して説明する。図１０の（ｃ）は、図１０の（ｂ）と同様に、画像Ｐがスクロールする前後の画像ＰとバックライトＬ（エッジ型）とを示している。図１０の（ｃ）の左側が示すように、バックライトＬは、図１０の（ｂ）のバックライトＬと同様に、画像Ｐが表示されたＬＣＤのエリアに対応する（４）及び（５）の調光エリア（対象調光エリア）を点灯させる一方で、（３）及び（６）の調光エリア（隣接調光エリア）を、（４）及び（５）の調光エリアよりも小さいが、（２）及び（７）の調光エリアよりも高い光量で点灯させる。これにより、図１０の（ｃ）の右側が示すように、画像Ｐがスクロールした後に、対象調光エリアが、（５）及び（６）の調光エリアに移動し、隣接調光エリアが（４）及び（７）に移動した場合であっても、（４）及び（６）の調光エリアにおける光量の変化量は、図１０の（ｂ）に示したバックライトＬの（４）及び（６）の調光エリアにおける光量の変化量よりも小さくなる。従って、画面のちらつきを抑えることができる。
【０００８】
上記のようなローカルディミングの技術として、特許文献１には、複数の視点に対応する視差画像を時間ごとに表示することにより立体映像を表示する立体表示装置が開示されている。当該立体表示装置は、同じ視点間で光源強度の変動を抑制する補正を行うことにより、高コントラストな映像を表示することができる。
【先行技術文献】
【特許文献】
【０００９】
【特許文献１】国際公開第２０１１／０１３１７５号（２０１１年２月３日公開）
【発明の概要】
【発明が解決しようとする課題】
【００１０】
しかし、上述の図１０の（ｃ）で示したローカルディミングの技術では、図１０の（ｂ）で示した例と比較して、対象調光エリアの光量と隣接調光エリアの光量との差が小さいため、コントラストを向上する性能が低下するという課題がある。
【００１１】
本発明の一態様は、上記の問題点に鑑みてなされたものであり、その主たる目的は、ローカルディミングの技術において、画像の動きに伴う画面のちらつきを抑えるためにバックライトの特定のエリアの光量を調整したことに伴う、コントラストを向上する性能の低下を抑制する技術を提供することにある。
【課題を解決するための手段】
【００１２】
上記の課題を解決するために、本発明の一態様に係る表示装置は、複数のエリアから構成され、当該複数のエリアの明るさを個別に制御可能なバックライトと、上記バックライトを制御するバックライト制御部とを備え、上記バックライト制御部は、映像データに含まれる動きベクトルを参照して、上記バックライトを制御する。
【００１３】
上記の課題を解決するために、本発明の一態様に係るバックライト制御方法は、複数のエリアから構成され、当該複数のエリアの明るさを個別に制御可能なバックライトを備えている表示装置によるバックライト制御方法であって、上記バックライトを制御するバックライト制御工程を含み、上記バックライト制御工程では、映像データに含まれる動きベクトルを参照して、上記バックライトを制御する。
【発明の効果】
【００１４】
本発明の一態様によれば、ローカルディミングの技術において、画像の動きに伴う画面のちらつきを抑えるためにバックライトの特定のエリアの光量を調整したことに伴う、コントラストを向上する性能の低下を抑制する。
【図面の簡単な説明】
【００１５】
【図１】本発明の実施形態１に係る表示装置の構成を示すブロック図である。
【図２】本発明の実施形態１に係る表示装置を備えているテレビジョン受像機の外観を示す正面図である。
【図３】本発明の実施形態１に係る表示装置によるバックライト制御方法を説明するフローチャートである。
【図４】（ａ）は、本発明の実施形態１に係る表示装置が生成した動きベクトルのヒストグラムである（例１）。（ｂ）は、本発明の実施形態１に係る表示装置のバックライトを示す概略図である（例１）。
【図５】（ａ）は、本発明の実施形態１に係る表示装置が生成した動きベクトルのヒストグラムである（例２）。（ｂ）は、本発明の実施形態１に係る表示装置のバックライトを示す概略図である（例２）。
【図６】（ａ）は、本発明の実施形態１に係る表示装置が生成した動きベクトルのヒストグラムである（例３）。（ｂ）は、本発明の実施形態１に係る表示装置のバックライトを示す概略図である（例３）。
【図７】本発明の実施形態２に係る表示装置によるバックライト制御方法を説明するフローチャートである。
【図８】本発明の実施形態３に係る表示装置によるバックライト制御方法を説明するフローチャートである。
【図９】（ａ）は、本発明の実施形態３に係る表示装置が各エリアの輝度を制御する前のバックライトの概略図である。（ｂ）は、本発明の実施形態３に係る表示装置が各エリアの輝度を制御した後のバックライトの概略図である。
【図１０】（ａ）は、従来技術におけるローカルディミングを説明するための図である。（ｂ）は、従来技術におけるローカルディミングの実行例を説明するための図である。（ｃ）は、従来技術におけるローカルディミングの別の実行例を説明するための図である。
【発明を実施するための形態】
【００１６】
以下、本発明の実施形態について、詳細に説明する。ただし、本実施形態に記載されている構成は、特に特定的な記載がない限り、この発明の範囲をそれのみに限定する趣旨ではなく、単なる説明例に過ぎない。
【００１７】
〔実施形態１〕
（表示装置１の構成）
本発明の第１の実施形態に係る表示装置１について、図１を参照して説明する。図１は、本実施形態に係る表示装置１の構成を示すブロック図である。図２は、本実施形態に係る表示装置１を備えているテレビジョン受像機１００の外観を示す正面図である。図１が示すように、表示装置１は、制御部２、バックライト３、及び液晶パネル４を備えている。
【００１８】
また、制御部２は、動きベクトル算出部５、ヒストグラム生成部６、特徴判定部７、調光量算出部８、画像解析部９、バックライト制御部１０、及び液晶パネル制御部１１を備えている。
【００１９】
動きベクトル算出部５は、外部から映像信号を取得し、当該映像信号が示す対象画像の各ブロックの動きベクトルを算出する。
【００２０】
ヒストグラム生成部６は、動きベクトル算出部５が算出した動きベクトルの大きさのヒストグラムを生成する。
【００２１】
特徴判定部７は、ヒストグラム生成部６が生成したヒストグラムを参照して、当該ヒストグラムの特徴を判定する。
【００２２】
調光量算出部８は、画像解析部９が設定したバックライト３の各エリアの輝度値を参照し、特徴判定部７が判定したヒストグラムの特徴に応じて、最終的なバックライト３の各エリアの輝度値を算出する。
【００２３】
画像解析部９は、外部から映像信号を取得し、当該映像信号を参照して、バックライト３の各エリアの輝度値を設定する（ローカルディミング）。また、画像解析部９は、当該映像信号を参照して、ＬＣＤデータ（ＲＧＢ信号等）を調整する。
【００２４】
バックライト制御部１０は、調光量算出部８が算出したバックライト３の各エリアの輝度値に応じて、バックライト３の各エリアの輝度を制御する。
【００２５】
液晶パネル制御部１１は、外部から取得した映像信号、及び画像解析部９が調整したＬＣＤデータを参照して、液晶パネル４における画像の表示を制御する。
【００２６】
バックライト３は、複数のエリアから構成され、当該複数のエリアの明るさを個別に制御可能である。バックライト３は、バックライト制御部１０による制御に基づき、調光量算出部８が算出したバックライト３の各エリアの輝度値に応じた輝度で、液晶パネル４に光を照射する。なお、バックライト３は、エッジ型及び直下型の何れであってもよい。
【００２７】
液晶パネル４は、液晶パネル制御部１１による制御に基づいて、映像信号が示す画像を表示する。
【００２８】
なお、本実施形態に係る表示装置１を備えている装置の例として、上述のテレビジョン受像機以外に、スマートフォン、及び、他のモバイル機器等が挙げられる。
【００２９】
（表示装置１によるバックライト制御方法）
本実施形態に係る表示装置１により実行されるバックライト制御方法の流れを、図３を参照して説明する。図３は、表示装置１のバックライト制御方法の流れを示すフローチャートである。なお、以下では、簡略化のため、液晶パネル４の制御については説明を省略する。
【００３０】
まず、動きベクトル算出部５は、外部から映像信号を取得し、当該映像信号が示す対象画像の各ブロックの動きベクトルの大きさを算出する（ステップＳ０）。動きベクトル算出部５が動きベクトルの大きさを算出する方法としては、基準フレームと当該基準フレームの次のフレームとを比較する等の従来公知の方法を用いることができる。また、動きベクトル算出部５が動きベクトルの大きさを算出する対象画像のブロックは、対象画像における最大輝度の領域であってもよい。
【００３１】
次に、ヒストグラム生成部６は、動きベクトル算出部５が算出した動きベクトルの大きさのヒストグラムを生成する（ステップＳ１）。
【００３２】
次に、特徴判定部７は、ヒストグラム生成部６が生成したヒストグラムを参照して、当該ヒストグラムの特徴を判定する（ステップＳ２）。特徴判定部７がヒストグラムの特徴を判定する具体的な方法については後述する。
【００３３】
次に、調光量算出部８は、画像解析部９が設定したバックライト３の各エリアの輝度値を参照し、特徴判定部７が判定したヒストグラムの特徴に応じて、最終的なバックライト３の各エリアの輝度値を算出する（ステップＳ３）。調光量算出部８が輝度値を算出する具体的な方法については後述する。なお、本実施形態では、動きベクトルの大きさのヒストグラムに応じて、バックライト３の各エリアの輝度値を算出するが、動きベクトルの大きさに応じて、バックライト３の各エリアの輝度値を算出すればよく、動きベクトルの大きさを解析する方法は、特に限定されない。
【００３４】
次に、バックライト制御部１０は、調光量算出部８が算出したバックライト３の各エリアの輝度値に応じて、バックライト３の各エリアの輝度を制御する（ステップＳ４）。
【００３５】
（バックライト制御方法の具体例）
以下で、本実施形態に係る表示装置１により実行されるバックライト制御方法の具体例を、図４〜６を参照して説明する。図４の（ａ）、図５の（ａ）、及び図６の（ａ）は、それぞれ、上述のステップＳ１において、ヒストグラム生成部６が生成した動きベクトルの大きさのヒストグラムである。図４の（ｂ）、図５の（ｂ）、及び図６の（ｂ）は、上述のステップＳ３において調光量算出部８が算出したバックライト３の各エリアの輝度値に応じて、ステップＳ４において、バックライト制御部１０が各エリアの輝度を制御したバックライト３（エッジ型）の概略図である。
【００３６】
ステップＳ２において、特徴判定部７は、図４の（ａ）が示すヒストグラムを参照して、所定の大きさ（閾値Ａ）以上の動きベクトルの割合が所定の割合（５０％）以上であるか否かを判定する。図４の（ａ）のヒストグラムにおいて、閾値Ａ以上の動きベクトルの割合が３０％であるため、特徴判定部７は、閾値Ａ以上の動きベクトルの割合が５０％以上ではないと判定する。
【００３７】
次に、ステップＳ３において、調光量算出部８は、ステップＳ２における判定に基づいて、図４の（ｂ）が示すバックライト３の（３）のエリアの輝度値を、他のエリアの輝度値よりも高く設定する（１００％の輝度値）。
【００３８】
次に、ステップＳ４において、バックライト制御部１０は、調光量算出部８が算出したバックライト３の（３）のエリアの輝度値に応じて、バックライト３の（３）のエリアの輝度を制御する。
【００３９】
以下で、図５の（ａ）及び（ｂ）の例について説明する。ステップＳ２において、特徴判定部７は、図５の（ａ）が示すヒストグラムを参照して、所定の大きさ（閾値Ａ）以上の動きベクトルの割合が所定の割合（５０％）以上であるか否かを判定する。図５の（ａ）のヒストグラムにおいて、閾値Ａ以上の動きベクトルの割合が５０％であるため、特徴判定部７は、閾値Ａ以上の動きベクトルの割合が５０％以上であると判定する。
【００４０】
次に、ステップＳ３において、調光量算出部８は、ステップＳ２における判定に基づいて、図５の（ｂ）が示すバックライト３の（３）のエリア（対象エリア）の輝度値を、他のエリアの輝度値よりも高く設定し（１００％の輝度値）、（２）及び（４）のエリア（対象エリアに隣接する隣接エリア）の輝度値を、（３）のエリアよりも低くかつ他のエリアよりも高く設定する（１０％の輝度値）。つまり、調光量算出部８は、隣接する対象エリアと隣接エリアとの輝度値の差を小さくする。これにより、上記で図１０の（ｃ）を参照して説明した原理により、画面のちらつきを抑えることができる。なお、調光量算出部８が算出する、対象エリアに隣接するエリアの輝度値は、画面のちらつきを抑える程度の輝度値であればよく、特に限定はない。
【００４１】
以下で、図６の（ａ）及び（ｂ）の例について説明する。画像における特定の狭い領域のみが動いている場合（単純スクロール）、図６の（ａ）のヒストグラムが示すように、動きベクトルの大きさのばらつきが小さくなる。このような図６の（ａ）が示すヒストグラムでは、実際に対象画像が動いているにもかかわらず、ビンが２つしかないため、ステップＳ２において、特徴判定部７は、閾値Ａ以上の動きベクトルの割合が５０％以上ではないと判定してしまう。
【００４２】
そこで、特徴判定部７は、動きベクトルの大きさのばらつき（例えば、標準偏差等）を参照して、当該ばらつきが小さいと判断した場合に、図６の（ｂ）のバックライト３が示すように、対象エリアに隣接するエリアの輝度値を、対象エリアよりも低くかつ他のエリアよりも高く設定するように、調光量算出部８に指示してもよい。
【００４３】
（実施形態１のまとめ）
以上のように、本実施形態に係る表示装置１は、映像データに含まれる動きベクトルを参照して、バックライトを制御する。このような構成では、動きベクトルを参照することにより、画像の動きを把握することができる。これにより、画像の動きに伴う画面のちらつきを抑えるためにバックライトの各エリアの光量を調整した場合に、画像の動きが小さいために画面のちらつきが生じないにも関わらず、特定のエリアの光量を不要に調整してしまうことを抑制することができる。従って、画像の動きに伴う画面のちらつきを抑えるためにバックライトの特定のエリアの光量を調整したことに伴う、コントラストを向上する性能の低下を抑制することができる。
【００４４】
また、本実施形態に係る表示装置１は、映像データに含まれる複数の動きベクトルの大きさの分布を参照して、バックライトを制御する。これにより、動きベクトルの大きさの分布を参照して画像の動きをより適切に把握することができるため、画像の動きに伴う画面のちらつきを抑えるためにバックライトの各エリアの光量を調整した場合に、特定のエリアの光量を不要に調整してしまうことを、より適切に抑制することができる。
【００４５】
〔実施形態２〕
本発明の実施形態２について、図面に基づいて説明すれば、以下のとおりである。なお、実施形態２におけるバックライト制御方法については、実施形態１で説明した表示装置１を用いることができる。そのため、実施形態２におけるバックライト制御方法を実行する表示装置１の構成についての説明は省略する。
【００４６】
（実施形態２におけるバックライト制御方法）
本実施形態に係る表示装置１により実行される表示方法の流れを、図７を参照して説明する。図７は、映像処理方法の流れを示すフローチャートである。なお、実施形態１において説明したステップと同様のステップについては、その説明を省略する。
【００４７】
まず、動きベクトル算出部５は、外部から映像信号を取得し、当該映像信号が示す対象画像の基準フレームに対して時間的に前に位置する前フレーム（参照画像）の各ブロックにおける動きベクトル（前動きベクトル）の大きさを算出する（ステップＳ１０）。
【００４８】
次に、動きベクトル算出部５は、取得した映像信号が示す対象画像の基準フレームの各ブロックにおける動きベクトル（基準動きベクトル）の大きさを算出する（ステップＳ１１）。
【００４９】
次に、ヒストグラム生成部６は、動きベクトル算出部５が算出した、各ブロックにおける前動きベクトルの大きさと基準動きベクトルの大きさとの差を算出し、当該差のヒストグラム（不図示）を生成する（ステップＳ１２）。
【００５０】
なお、本実施形態では、対象画像の基準フレームに対して時間的に前に位置する前フレームの各ブロックにおける動きベクトルの大きさを算出して、ステップＳ１１において、基準フレームの各ブロックにおける動きベクトルの大きさいを算出している。しかし、ステップＳ１０において、動きベクトル算出部５は、基準フレームの各ブロックにおける動きベクトル（基準動きベクトル）の大きさを算出し、ステップＳ１１において、基準フレームに対して時間的に後に位置する後フレームの各ブロックにおける動きベクトル（後動きベクトル）の大きさを算出してもよい。そして、動きベクトル算出部５は、基準動きベクトルの大きさと後動きベクトルの大きさとの差を算出し、当該差のヒストグラムを生成してもよい。
【００５１】
ステップＳ１２の次の工程として、特徴判定部７は、ヒストグラム生成部６が生成したヒストグラムを参照して、当該ヒストグラムの特徴を判定する（ステップＳ１３）。特徴判定部７がヒストグラムの特徴を判定する方法の例として、実施形態１と同様に、閾値を設けて、当該閾値以上の差の割合が所定の割合以上であるか否かを判定する方法が挙げられる。
【００５２】
次に、調光量算出部８は、画像解析部９が設定したバックライト３の各エリアの輝度値を参照し、特徴判定部７が判定したヒストグラムの特徴に応じて、最終的なバックライト３の各エリアの輝度値を算出する（ステップＳ１４）。調光量算出部８が輝度値を算出する方法の例として、実施形態１の具体例と同様に、特徴判定部７が判定したヒストグラムの特徴に応じて、対象エリアに隣接するエリアの輝度値を、対象エリアよりも低くかつ他のエリアよりも高く設定する方法等が挙げられる。
【００５３】
また、本実施形態では、隣り合ったフレーム間における動きベクトルの大きさの差のヒストグラムに応じて、バックライト３の各エリアの輝度値を算出する。しかし、対象画像に含まれる動きベクトルの大きさと、当該対象画像に対して時間的に前又は後に位置する参照画像に含まれる動きベクトルの大きさとに応じて、バックライト３の各エリアの輝度値を算出すればよく、隣り合ったフレーム間における動きベクトルの大きさを解析する方法は、特に限定されない。
【００５４】
ステップＳ１４の次の工程として、バックライト制御部１０は、調光量算出部８が算出したバックライト３の各エリアの輝度値に応じて、バックライト３の各エリアの輝度を制御する（ステップＳ１５）。
【００５５】
（実施形態２のまとめ）
以上のように、本実施形態に係る表示装置１は、映像データ中の対象画像に含まれる動きベクトルと、当該対象画像に対して時間的に前又は後に位置する参照画像に含まれる動きベクトルとを参照して、当該対象画像を表示する際のバックライトを制御する。当該構成では、隣り合った異なるフレーム間の動きベクトルを比較することで対象画像の動きをより詳細に把握することができる。これにより、対象画像の動きに伴う画面のちらつきを抑えるためにバックライトの各エリアの光量を調整した場合に、特定のエリアの光量を不要に調整してしまうことを、より適切に抑制することができる。
【００５６】
〔実施形態３〕
本発明の実施形態３について、図面に基づいて説明すれば、以下のとおりである。なお、実施形態３におけるバックライト制御方法については、実施形態１で説明した表示装置１を用いることができる。そのため、実施形態３におけるバックライト制御方法を実行する表示装置１の構成についての説明は省略する。
【００５７】
（実施形態３におけるバックライト制御方法）
本実施形態に係る表示装置１により実行されるバックライト制御方法の流れを、図８を参照して説明する。図８は、表示装置１のバックライト制御方法の流れを示すフローチャートである。なお、以下では、簡略化のため、液晶パネル４の制御については説明を省略する。
【００５８】
まず、動きベクトル算出部５は、外部から映像信号を取得し、当該映像信号が示す対象画像の各ブロックの動きベクトルの向きを算出する（ステップＳ２０）。なお、動きベクトル算出部５が動きベクトルを算出する方法としては、基準フレームと当該基準フレームの次のフレームとを比較する等の従来公知の方法を用いることができる。又は、動きベクトル算出部５は、映像信号から、直接、対象画像の各ブロックにおける動きベクトルの向きを取得してもよい。
【００５９】
次に、ヒストグラム生成部６は、動きベクトル算出部５が算出した動きベクトルの向きのヒストグラム（不図示）を生成する（ステップＳ２１）。
【００６０】
次に、特徴判定部７は、ヒストグラム生成部６が生成したヒストグラムを参照して、当該ヒストグラムの特徴を判定する（ステップＳ２２）。特徴判定部７がヒストグラムの特徴を判定する方法の例として、実施形態１と同様に、閾値を設けて、当該閾値以上の差の割合が所定の割合以上であるか否かを判定する方法が挙げられる。
【００６１】
次に、調光量算出部８は、画像解析部９が設定したバックライト３の各エリアの輝度値を参照し、特徴判定部７が判定したヒストグラムの特徴に応じて、最終的なバックライト３の各エリアの輝度値を算出する（ステップＳ２３）。調光量算出部８が輝度値を算出する具体的な方法については後述する。なお、本実施形態では、動きベクトルの向きのヒストグラムに応じて、バックライト３の各エリアの輝度値を算出するが、動きベクトルの向きに応じて、バックライト３の各エリアの輝度値を算出すればよく、動きベクトルの向きを解析する方法は、特に限定されない。
【００６２】
次に、バックライト制御部１０は、調光量算出部８が算出したバックライト３の各エリアの輝度値に応じて、バックライト３の各エリアの輝度を制御する（ステップＳ２４）。
【００６３】
（具体例）
以下で、本実施形態に係る表示装置１により実行されるバックライト制御方法の具体例を、図９を参照して説明する。図９の（ａ）及び（ｂ）は、それぞれ、上述のステップＳ２３において調光量算出部８が算出したバックライト３の各エリアの輝度値に応じて、ステップＳ２４において、バックライト制御部１０が各エリアの輝度を制御する前後のバックライト３（本実施形態では、直下型の例を示す）の概略図である。
【００６４】
ステップＳ２０において、動きベクトル算出部５は、図９の（ａ）が示す対象画像Ｐの各ブロック（不図示）の動きベクトルの向きを算出する。なお、図９の（ａ）の時点では、対象画像Ｐに対応するバックライト３の（５）のエリアが点灯している。
【００６５】
次に、ステップＳ２１において、動きベクトル算出部５が算出した動きベクトルの向きのヒストグラム（不図示）を生成し、ステップＳ２２において、特徴判定部７は、当該ヒストグラムを参照して、対象画像Ｐが、図９の（ｂ）の矢印が示す向きに移動していると判定する。
【００６６】
次に、ステップＳ２３において、調光量算出部８は、画像解析部９が設定したバックライト３の各エリアの輝度値を参照し、特徴判定部７による判定に基づいて、（２）、（３）及び（４）のエリア（対象エリアに隣接するエリア）の輝度値を、（５）のエリア（対象エリア）よりも低くかつ他のエリアよりも高く設定する。
【００６７】
（実施形態３のまとめ）
以上のように、本実施形態に係る表示装置１は、映像データに含まれる動きベクトルの向きを参照して、バックライトを制御する。当該構成では、動きベクトルの向きを参照することによって、画像の動きをより詳細に把握することができる。これにより、対象画像の動きに伴う画面のちらつきを抑えるためにバックライトの各エリアの光量を調整した場合に、特定のエリアの光量を不要に調整してしまうことを、より適切に抑制することができる。
【００６８】
〔ソフトウェアによる実現例〕
表示装置１の制御ブロック（特に、動きベクトル算出部５、ヒストグラム生成部６、特徴判定部７、調光量算出部８、及びバックライト制御部１０）は、集積回路（ＩＣチップ）等に形成された論理回路（ハードウェア）によって実現してもよいし、ＣＰＵ（Central Processing Unit）を用いてソフトウェアによって実現してもよい。
【００６９】
後者の場合、表示装置１は、各機能を実現するソフトウェアであるプログラムの命令を実行するＣＰＵ、上記プログラム及び各種データがコンピュータ（又はＣＰＵ）で読み取り可能に記録されたＲＯＭ（Read Only Memory）又は記憶装置（これらを「記録媒体」と称する）、上記プログラムを展開するＲＡＭ（Random Access Memory）などを備えている。そして、コンピュータ（又はＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００７０】
〔まとめ〕
本発明の態様１に係る表示装置（１）は、複数のエリアから構成され、当該複数のエリアの明るさを個別に制御可能なバックライト（３）と、上記バックライトを制御するバックライト制御部（１０）とを備え、上記バックライト制御部は、映像データに含まれる動きベクトルを参照して、上記バックライトを制御する。
【００７１】
上記の構成によれば、動きベクトルを参照することにより、画像の動きを把握することができる。これにより、画像の動きに伴う画面のちらつきを抑えるためにバックライトの各エリアの光量を調整した場合に、画像の動きが小さいために画面のちらつきが生じないにも関わらず、特定のエリアの光量を不要に調整してしまうことを抑制することができる。従って、画像の動きに伴う画面のちらつきを抑えるためにバックライトの特定のエリアの光量を調整したことに伴う、コントラストを向上する性能の低下を抑制することができる。
【００７２】
本発明の態様２に係る表示装置（１）は、上記態様１において、上記バックライト制御部は、上記複数のエリアのうちの隣接するエリアの明るさの差を小さくするように、上記バックライトを制御してもよい。
【００７３】
上記の構成によれば、ローカルディミングによる、バックライトの隣接するエリアの光量の変動に伴った画面のちらつきを抑えることができる。
【００７４】
本発明の態様３に係る表示装置（１）は、上記態様１又は２において、上記バックライト制御部は、上記映像データに含まれる複数の動きベクトルの大きさの分布を参照して、上記バックライトを制御してもよい。
【００７５】
上記の構成によれば、動きベクトルの大きさの分布を参照して画像の動きをより適切に把握することができるため、画像の動きに伴う画面のちらつきを抑えるためにバックライトの各エリアの光量を調整した場合に、特定のエリアの光量を不要に調整してしまうことを、より適切に抑制することができる。
【００７６】
本発明の態様４に係る表示装置（１）は、上記態様１〜３において、上記バックライト制御部は、上記映像データ中の対象画像に含まれる動きベクトルを参照して、当該対象画像を表示する際の上記バックライトを制御してもよい。
【００７７】
上記の構成によれば、対象画像の動きに伴う画面のちらつきを抑えるためにバックライトの特定のエリアの光量を調整したことに伴う、コントラストを向上する性能の低下を抑制することができる。
【００７８】
本発明の態様５に係る表示装置（１）は、上記態様４において、上記バックライト制御部は、上記映像データ中の対象画像に含まれる最大輝度領域における動きベクトルを参照して、当該対象画像を表示する際の上記バックライトを制御してもよい。
【００７９】
上記の構成によれば、画面のちらつきの頻度を増加させやすい対象画像の最大輝度領域における動きベクトルを参照することで、対象画像の動きに伴う画面のちらつきをより適切に抑制することができる。
【００８０】
本発明の態様６に係る表示装置（１）は、上記態様４において、上記バックライト制御部は、上記映像データ中の対象画像に含まれる動きベクトルと、当該対象画像に対して時間的に前又は後に位置する参照画像に含まれる動きベクトルとを参照して、当該対象画像を表示する際の上記バックライトを制御してもよい。
【００８１】
上記の構成によれば、隣り合った異なるフレーム間の動きベクトルを比較することで画像の動きをより詳細に把握することができる。これにより、画像の動きに伴う画面のちらつきを抑えるためにバックライトの各エリアの光量を調整した場合に、特定のエリアの光量を不要に調整してしまうことを、より適切に抑制することができる。
【００８２】
本発明の態様７に係る表示装置（１）は、上記態様１〜６において、上記バックライト制御部は、上記映像データに含まれる動きベクトルの向きを参照して、上記バックライトを制御してもよい。
【００８３】
上記の構成によれば、動きベクトルの向きを参照することにより、画像の動きをより詳細に把握することができる。これにより、画像の動きに伴う画面のちらつきを抑えるためにバックライトの各エリアの光量を調整した場合に、特定のエリアの光量を不要に調整してしまうことを、より適切に抑制することができる。
【００８４】
本発明の態様８に係る表示装置（１）は、上記態様１〜７において、上記バックライト制御部は、上記映像データ中の対象画像の最大輝度領域に対応する上記バックライトのエリアである対象エリアを、他のエリアよりも明るく発光させると共に、上記映像データに含まれる複数の動きベクトルの大きさの分布に応じて、当該対象エリアに隣接するエリアを、上記対象エリアよりも暗くかつ他のエリアよりも明るく発光させてもよい。
【００８５】
上記の構成によれば、対象エリアに隣接するエリアを、対象エリアよりも暗くかつ他のエリアよりも明るく発光させることで画面のちらつきを抑えつつ、動きベクトルの大きさの分布を参照して対象画像の動きを把握することで、特定のエリアの光量を不要に調整してしまうことを抑制することができる。
【００８６】
本発明の態様９に係る表示装置（１）は、上記態様８において、上記バックライト制御部は、上記映像データ中の対象画像の最大輝度領域に対応する上記バックライトのエリアである対象エリアを、他のエリアよりも明るく発光させると共に、上記映像データに含まれる複数の動きベクトルの大きさの分布において、所定の大きさ以上の動きベクトルの割合が所定の割合以上である場合に、当該対象エリアに隣接するエリアを、上記対象エリアよりも暗くかつ他のエリアよりも明るく発光させてもよい。
【００８７】
上記の構成によれば、所定の大きさ以上の動きベクトルの割合が所定の割合未満である場合に、対象エリアに隣接するエリアの光量を不要に調整してしまうことを抑制することができる。
【００８８】
本発明の態様１０に係るテレビジョン受像機（１００）は、上記態様１〜９の何れかに記載の表示装置を備えている。
【００８９】
上記の構成によれば、上記表示装置が上記各態様において奏する効果を上記テレビジョン受像機において得ることができる。
【００９０】
本発明の態様１１に係るバックライト制御方法は、複数のエリアから構成され、当該複数のエリアの明るさを個別に制御可能なバックライト（３）を備えている表示装置（１）によるバックライト制御方法であって、上記バックライトを制御するバックライト制御工程を含み、上記バックライト制御工程では、映像データに含まれる動きベクトルを参照して、上記バックライトを制御する。
【００９１】
上記の構成によれば、上記態様１に係る表示装置と同様の効果を奏する。
【００９２】
本発明の各態様に係る表示装置は、コンピュータによって実現してもよく、この場合には、コンピュータを上記表示装置が備える各部（ソフトウェア要素）として動作させることにより上記表示装置をコンピュータにて実現させる表示装置の制御プログラム、及びそれを記録したコンピュータ読み取り可能な記録媒体も、本発明の範疇に入る。
【００９３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９４】
１  表示装置
２  制御部
３  バックライト
４  液晶パネル
５  ベクトル算出部
６  ヒストグラム生成部
７  特徴判定部
８  調光量算出部
９  画像解析部
１０  バックライト制御部
１１  液晶パネル制御部
１００  テレビジョン受像機
【図１】
2018128578.tif 000003
【図２】
2018128578.tif 000004
【図３】
2018128578.tif 000005
【図４】
2018128578.tif 000006
【図５】
2018128578.tif 000007
【図６】
2018128578.tif 000008
【図７】
2018128578.tif 000009
【図８】
2018128578.tif 000010
【図９】
2018128578.tif 000011
【図１０】
2018128578.tif 000012